(57)【要約】【課題】監視対象に異常が発生したことを表す状態通知を，保守担当者が所持する端末装置に確実に届けることができ，しかも，監視対象に関する情報の取得を簡単にする。【解決手段】少なくとも，監視対象の状態を検出する状態検出手段と，該状態検出手段により収集された監視情報に基づいて，監視対象における異常事態の発生の有無を判定し，予め設定された保守担当者を宛先として，通信網を経由する電子メールにより，監視対象が正常状態であることを表す作動状態通知若しくは監視対象が異常状態であることを表す異常状態通知を，予め設定された送信条件に基づいて自動的に送信する状態通知手段と，該状態通知手段に対して作動状態通知の送信条件を設定するための送信条件設定手段と，通信網を介して前記管理装置と接続及び通信するためのものであって，状態通知手段により生成された状態通知を管理装置に送信するための通信網接続手段と，を備える。【選択図】  図８
2010004185.tif 000002
【特許請求の範囲】
【請求項１】
遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
少なくとも，前記監視対象の状態を検出する状態検出手段と，
該状態検出手段により収集された監視情報に基づいて，前記監視対象における異常事態の発生の有無を判定し，
異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，
異常の発生が検出された場合は，予め設定された保守担当者を宛先として，前記通信網を経由する電子メールにより，前記監視対象が異常状態であることを表す異常状態通知を自動的に送信する状態通知手段と，
前記状態通知手段に対して前記作動状態通知の送信条件を設定するための送信条件設定手段と，
前記通信網を介して前記管理装置と接続及び通信するためのものであって，前記状態通知手段により生成された前記状態通知を前記管理装置に送信するための通信網接続手段と，
を備えることを特徴とする監視装置。
【請求項２】
前記通信網接続手段に対して，前記管理装置との接続を「行なう」か「行なわない」かを選択的に設定するための第１接続設定手段を備えたことを特徴とした請求項１に記載の監視装置。
【請求項３】
遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
少なくとも，前記監視対象の状態を検出する状態検出手段と，
該状態検出手段により前記監視対象の異常が検出されると，予め設定された保守担当者を宛先として，前記通信網を経由する電子メールにより，前記監視対象の状態を表す異常状態通知を自動的に送信すると共に，
前記監視対象の異常の有無に拘らず，予め設定された保守担当者を宛先として，前記通信網を経由する電子メールにより，前記監視対象の状態を表す現在状態通知を任意のタイミングでマニュアル送信できるように構成された状態通知手段と，
前記状態通知手段に対して前記現在状態通知の送信を行なうための設定をするマニュアル送信設定手段と，
前記通信網を介して前記管理装置と接続及び通信するためのものであって，前記状態通知手段により生成された前記状態通知を前記管理装置に送信するための通信網接続手段と，
を備えることを特徴とする監視装置。
【請求項４】
前記状態通知手段は，
前記状態検出手段により収集された監視情報に基づいて，前記監視対象における異常事態の発生の有無を判定し，
異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，
異常の発生が検出された場合は，予め設定された保守担当者を宛先として，前記通信網を経由する電子メールにより，前記監視対象が異常状態であることを表す異常状態通知を自動的に送信し，
更には，前記監視対象の異常の有無に拘らず，予め設定された保守担当者を宛先として，前記通信網を経由する電子メールにより，前記監視対象の状態を表す現在状態通知を任意のタイミングでマニュアル送信できるように構成されており，
前記状態通知手段に対して前記作動状態通知の送信条件を設定するための送信条件設定手段と，
前記状態通知手段に対して前記現在状態通知の送信を行なうための設定をするマニュアル送信設定手段と，
を備えることを特徴とする請求項３に記載の監視装置。
【請求項５】
遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
前記監視装置は，
少なくとも，前記監視対象の状態を検出する状態検出手段と，
前記状態検出手段により収集された監視情報に基づいて，前記監視対象における異常事態の発生の有無を判定すると共に，その判定に基づいて，予め設定された保守担当者を宛先として，前記通信網を経由する電子メールにより，前記監視対象の状態を表す状態通知を自動的に送信する状態通知手段と，
前記通信網を介して前記管理装置と接続及び通信するためのものであって，前記状態通知手段により生成された前記状態通知を前記管理装置に送信するための通信網接続手段と，
前記通信網接続手段より得られた接続及び通信に関するデータを信号処理して得られる制御信号に基づいて，前記通信網を介しての前記通信網接続手段と前記管理装置との接続及び通信状態を表示する表示手段と，
前記通信網接続手段に対して，前記管理装置との接続を「行なう」か「行なわない」かを選択的に設定するための第２接続設定手段と，を備え，
前記第２接続設定手段によって接続を「行なう」状態にしたときで，且つ，前記通信網接続手段と前記管理装置との通信が行なわれているときは，前記制御信号に基づいて前記表示手段に通信中を示す表示が行なわれ，
接続を「行なう」状態したときであっても，前記通信網接続手段と前記管理装置との通信が行なわれていないときは，前記制御信号に基づいて前記表示手段に通信停止中を示す表示が行なわれ，
更には，前記接続設定手段によって接続を「行なわない」状態にした時は，前記制御信号に基づいて前記表示手段に前記通信網接続手段の待機状態を示す１または複数の情報を表示するように構成したことを特徴とした監視装置。
【請求項６】
少なくとも，前記管理装置の１つは携帯電話であることを特徴とした請求項１から請求項５の何れか一項に記載の監視装置。
【請求項７】
遠隔地に設置された監視対象毎に設けられ，該監視対象の状態を監視する監視装置，及び各監視装置での監視結果を所定の通信網を介して収集し管理する管理装置からなる遠隔監視システムにおいて，
前記監視装置は請求項１から請求項６の何れか一項に記載の監視装置からなることを特徴とした遠隔監視システム。
【発明の詳細な説明】
【技術分野】
【０００１】
本発明は，遠隔地に設置された監視対象毎に設けられ，該監視対象の状態を監視する監視装置，及び各監視装置での監視結果を所定の通信網を介して収集し集中管理する管理装置を備えた遠隔監視システム及びシステムを構成する監視装置に関する。
【背景技術】
【０００２】
従来より，この種の遠隔監視システムでは，管理装置が，通信網を介して監視装置から送られてくる監視対象に関する監視情報を蓄積し，この監視情報に基づいて監視対象の異常が検出された場合には，その旨を通信網を介して，監視対象の近くに設置された保守センターに通知する。そして，この通知を受けた保守センターでは，管理装置に蓄積された監視対象についてのより詳細な情報を通信網を介して取得し，その監視情報に基づいて監視対象の保守作業を行なうようにされている。
しかし，上述の遠隔監視システムでは，監視装置が送信する監視情報は，必ず管理装置を経由して保守センターに通知されるため，監視装置と管理装置との間の通信網，或いは管理装置と保守センターとの間の通信網のいずれか一方でも異常が発生すると，保守センターに監視情報が届かなくなってしまい，保守作業に支障が生じてしまうという問題があった。
そこで本願出願人においては，監視対象に異常が発生したことを表す状態通知を，保守担当者が所持する端末装置に確実に届けることができ，しかも，監視対象に関する情報の取得や監視対象を遠隔制御する際の操作が簡単な遠隔監視システムが提案されている。
（例えば，特許文献１参照）
【０００３】
【特許文献１】特開２００３−５８２７号公報
【発明の開示】
【発明が解決しようとする課題】
【０００４】
しかし，従来の遠隔監視システムを実現するに当たり，さらに次に示されるような問題点が考えられた。
１，監視対象物の設置工事に際して発生する各種雑音や異常データに反応して，異常通知のメール等を頻繁に送信してしまう。
２，監視対象に異常が発生したらメール等を送信する方式であったので，設置時等若しくは正常運用時に，通信網に接続しての通信の確認テストを行なうためには，パーソナルコンピュータ等の外部装置が必要で非常に面倒であった。
３，設置するときに，監視装置と通信網との接続における受信感度を監視装置自体では分かるようになっていなかったので，受信感度が最適の状態で設置されているかどうかが分からなかった。
４，従来は，監視対象に異常が発生したらメール等を送信する方式であったので，監視対象が正常運用時していても，監視装置が故障だったり，通信網への接続が困難になったりしていても区別ができなかった。
そこで本願発明は，こうした問題点を解決するためになされたものであり，監視対象に異常が発生したことを表す状態通知を，保守担当者が所持する端末装置（管理装置）に確実に届けることができ，しかも，設置工事，メンテナンス及び保守管理が特別な器具を用いなくとも簡単且つ確実に行なうことのできる各種機能を備えた監視装置を提供することにある。
【課題を解決するための手段】
【０００５】
上記課題を解決するために，請求項１の発明は，
遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
少なくとも，前記監視対象の状態を検出する状態検出手段と，
該状態検出手段により収集された監視情報に基づいて，前記監視対象における異常事態の発生の有無を判定し，
異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，
異常の発生が検出された場合は，予め設定された保守担当者を宛先として，前記通信網を経由する電子メールにより，前記監視対象が異常状態であることを表す異常状態通知を自動的に送信する状態通知手段と，
前記状態通知手段に対して前記作動状態通知の送信条件を設定するための送信条件設定手段と，
前記通信網を介して前記管理装置と接続及び通信するためのものであって，前記状態通知手段により生成された前記状態通知を前記管理装置に送信するための通信網接続手段と，
を備える。
【０００６】
請求項２の発明は，請求項１に記載の監視装置において，前記通信網接続手段に対して，前記管理装置との接続を「行なう」か「行なわない」かを選択的に設定するための第１接続設定手段を備えた。
【０００７】
請求項３の発明は，遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
少なくとも，前記監視対象の状態を検出する状態検出手段と，
該状態検出手段により前記監視対象の異常が検出されると，予め設定された保守担当者を宛先として，前記通信網を経由する電子メールにより，前記監視対象の状態を表す異常状態通知を自動的に送信すると共に，
前記監視対象の異常の有無に拘らず，予め設定された保守担当者を宛先として，前記通信網を経由する電子メールにより，前記監視対象の状態を表す現在状態通知を任意のタイミングでマニュアル送信できるように構成された状態通知手段と，
前記状態通知手段に対して前記現在状態通知の送信を行なうための設定をするマニュアル送信設定手段と，
前記通信網を介して前記管理装置と接続及び通信するためのものであって，前記状態通知手段により生成された前記状態通知を前記管理装置に送信するための通信網接続手段と，
を備える。
【０００８】
請求項４の発明は，請求項３に記載の監視装置において，前記状態通知手段は，
前記状態検出手段により収集された監視情報に基づいて，前記監視対象における異常事態の発生の有無を判定し，
異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，
異常の発生が検出された場合は，予め設定された保守担当者を宛先として，前記通信網を経由する電子メールにより，前記監視対象が異常状態であることを表す異常状態通知を自動的に送信し，
更には，前記監視対象の異常の有無に拘らず，予め設定された保守担当者を宛先として，前記通信網を経由する電子メールにより，前記監視対象の状態を表す現在状態通知を任意のタイミングでマニュアル送信できるように構成されており，
前記状態通知手段に対して前記作動状態通知の送信条件を設定するための送信条件設定手段と，
前記状態通知手段に対して前記現在状態通知の送信を行なうための設定をするマニュアル送信設定手段と，
を備える。
【０００９】
請求項５の発明は，遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，
前記監視装置は，
少なくとも，前記監視対象の状態を検出する状態検出手段と，
前記状態検出手段により収集された監視情報に基づいて，前記監視対象における異常事態の発生の有無を判定すると共に，その判定に基づいて，予め設定された保守担当者を宛先として，前記通信網を経由する電子メールにより，前記監視対象の状態を表す状態通知を自動的に送信する状態通知手段と，
前記通信網を介して前記管理装置と接続及び通信するためのものであって，前記状態通知手段により生成された前記状態通知を前記管理装置に送信するための通信網接続手段と，
前記通信網接続手段より得られた接続及び通信に関するデータを信号処理して得られる制御信号に基づいて，前記通信網を介しての前記通信網接続手段と前記管理装置との接続及び通信状態を表示する表示手段と，
前記通信網接続手段に対して，前記管理装置との接続を「行なう」か「行なわない」かを選択的に設定するための第２接続設定手段と，を備え，
前記第２接続設定手段によって接続を「行なう」状態にしたときで，且つ，前記通信網接続手段と前記管理装置との通信が行なわれているときは，前記制御信号に基づいて前記表示手段に通信中を示す表示が行なわれ，
接続を「行なう」状態したときであっても，前記通信網接続手段と前記管理装置との通信が行なわれていないときは，前記制御信号に基づいて前記表示手段に通信停止中を示す表示が行なわれ，
更には，前記接続設定手段によって接続を「行なわない」状態にした時は，前記制御信号に基づいて前記表示手段に前記通信網接続手段の待機状態を示す１または複数の情報を表示するように構成した。
【００１０】
請求項６の発明は，請求項１から請求項５の何れか一項に記載の監視装置において，少なくとも，前記管理装置の１つは携帯電話であるように構成した。
【００１１】
請求項７の発明は，遠隔地に設置された監視対象毎に設けられ，該監視対象の状態を監視する監視装置，及び各監視装置での監視結果を所定の通信網を介して収集し管理する管理装置からなる遠隔監視システムにおいて，
前記監視装置は請求項１から請求項６の何れか一項に記載の監視装置からなるように構成した。
【発明の効果】
【００１２】
請求項１の発明によれば，遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，少なくとも，前記監視対象の状態を検出する状態検出手段と，該状態検出手段により収集された監視情報に基づいて，前記監視対象における異常事態の発生の有無を判定し，異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，異常の発生が検出された場合は，予め設定された保守担当者を宛先として，前記通信網を経由する電子メールにより，前記監視対象が異常状態であることを表す異常状態通知を自動的に送信する状態通知手段と，前記状態通知手段に対して前記作動状態通知の送信条件を設定するための送信条件設定手段と，前記通信網を介して前記管理装置と接続及び通信するためのものであって，前記状態通知手段により生成された前記状態通知を前記管理装置に送信するための通信網接続手段と，を備えるように構成したので，
例えばギャップフィラーＧｉが正常であっても，監視装置において通信異常等が発生して，通信ができない状態にないか，つまり監視装置自身の作動状態（通信状態）を定期的に確認することができ便利である。しかも，その送信条件は予め設定することができるので，保守担当者の事情等によって自在に設定でき，仕事にあまり邪魔にならないように設定することができ利便性が良い。
【００１３】
請求項２の発明によれば，請求項１に記載の監視装置において，前記通信網接続手段に対して，前記管理装置との接続を「行なう」か「行なわない」かを選択的に設定するための第１接続設定手段を備えたので，
システムの規模に応じて，作動状態通知を止めることができ，利用状況に応じた汎用性の高いシステムを提供できる。
【００１４】
請求項３若しくは請求項４の発明によれば，請求項３に記載の監視装置において，前記状態通知手段は，前記状態検出手段により収集された監視情報に基づいて，前記監視対象における異常事態の発生の有無を判定し，異常の発生が検出されない場合は，予め設定された保守担当者を宛先として，前記通信網を経由する電子メールにより，前記監視対象が正常状態であることを表す作動状態通知を予め設定された送信条件に基づいて自動的に送信すると共に，異常の発生が検出された場合は，予め設定された保守担当者を宛先として，前記通信網を経由する電子メールにより，前記監視対象が異常状態であることを表す異常状態通知を自動的に送信し，更には，前記監視対象の異常の有無に拘らず，予め設定された保守担当者を宛先として，前記通信網を経由する電子メールにより，前記監視対象の状態を表す現在状態通知を任意のタイミングでマニュアル送信できるように構成されており，前記状態通知手段に対して前記作動状態通知の送信条件を設定するための送信条件設定手段と，前記状態通知手段に対して前記現在状態通知の送信を行なうための設定をするマニュアル送信設定手段と，を備えるように構成したので，
設置工事等において通信状態の確認を行なう場合等に，監視装置に対して，外部機器（例えば，パソコン）を接続して電子メール送信の設定等を行なう必要があり，ギャップフィラーＧｉの設置場所等から考えても，その作業は大変困難を極めるものになってしまうといった問題に対して，本発明では，特別な機器を持たなくとも，マニュアル送信設定手段の操作一つで，試験メールが送信でき，通信網との接続確認が容易にできる。。
【００１５】
請求項５の発明によれば，遠隔地に設置された監視対象毎に設けられ，該監視対象の状態を監視する監視装置，及び各監視装置での監視結果を所定の通信網を介して収集し管理する管理装置からなる遠隔監視システムにおける監視装置において，前記監視装置は，少なくとも，前記監視対象の状態を検出する状態検出手段と，前記状態検出手段により収集された監視情報に基づいて，前記監視対象における異常事態の発生の有無を判定すると共に，その判定に基づいて，予め設定された保守担当者を宛先として，前記通信網を経由する電子メールにより，前記監視対象の状態を表す状態通知を自動的に送信する状態通知手段と，前記通信網を介して前記管理装置と接続及び通信するためのものであって，前記状態通知手段により生成された前記状態通知を前記管理装置に送信するための通信網接続手段と，前記通信網接続手段より得られた接続及び通信に関するデータを信号処理して得られる制御信号に基づいて，前記通信網を介しての前記通信網接続手段と前記管理装置との接続及び通信状態を表示する表示手段と，前記通信網接続手段に対して，前記管理装置との接続を「行なう」か「行なわない」かを選択的に設定するための第２接続設定手段と，を備え，前記第２接続設定手段によって接続を「行なう」状態にしたときで，且つ，前記通信網接続手段と前記管理装置との通信が行なわれているときは，前記制御信号に基づいて前記表示手段に通信中を示す表示が行なわれ，接続を「行なう」状態したときであっても，前記通信網接続手段と前記管理装置との通信が行なわれていないときは，前記制御信号に基づいて前記表示手段に通信停止中を示す表示が行なわれ，更には，前記接続設定手段によって接続を「行なわない」状態にした時は，前記制御信号に基づいて前記表示手段に前記通信網接続手段の待機状態を示す１または複数の情報を表示するように構成したので，
監視装置の設置工事時などには，第２接続設定手段を「行なわない」にしておくことによって，工事人は前記表示手段を見ながら，監視装置を通信状況の良い最適な位置に設置することができるのである。加えて，第２接続設定手段が「行なわない」に設定されておれば，設置工事や点検時に発生する異状によって，不要なＳＮＭＰ  Ｔｒａｐや電子メールを頻繁に送信してしまうことが無く極めて利便性が良い。更に，設置が完了したなら，前記第２接続設定手段を，監視を「行なう」状態にしたときは，前記表示手段は，前記通信網接続手段が通信中（電子メール等の送信中）であれば，例えば緑点灯となるようにし，非通信時のときは消灯とするように構成しておくことによって，１つの表示手段（例えば，ＬＥＤ）で通信の状態表示ができるので，極めて利便性が良く，使い勝手のよいものとなる。しかも，コストも安価にできる。
【００１６】
請求項６の発明によれば，請求項１から請求項５の何れか一項に記載の監視装置において，少なくとも，前記管理装置の１つは携帯電話であるように構成したので，
管理装置としての特別な保守監視装置を必要としないので，簡単且つ安価にシステムが構築できる。
【００１７】
請求項７の発明によれば，遠隔地に設置された監視対象毎に設けられ，該監視対象の状態を監視する監視装置，及び各監視装置での監視結果を所定の通信網を介して収集し管理する管理装置からなる遠隔監視システムにおいて，前記監視装置は請求項１から請求項６の何れか一項に記載の監視装置からなるように構成したので，
監視対象に異常が発生したことを表す異状状態通知や，正常に動作していることを定期的に通知する作動状態通知，通信テストにおける現状状態通知等を，保守担当者が所持する管理装置としての保守端末装置（例えば携帯電話）に確実に届けることができ，しかも，通信網接続手段に連動した簡単構成の表示手段を用いることによって，設置工事，メンテナンス及び保守管理が特別な器具を用いなくとも簡単且つ確実に行なうことができる。
【発明を実施するための最良の形態】
【００１８】
以下に，本発明を具体化した実施形態の例を，図面を基に詳細に説明する。
図１は，本実施形態の遠隔監視システムの概略構成を表すブロック図である。図２は，本発明に係る遠隔監視システムを更に具体的に示したものであり，図３は，異なる実施形態の遠隔監視システムの具体例である。図４は，監視対象と監視装置の接続状態を示す接続図であり，（ａ）は多機能型の場合，（ｂ）は普及型の場合の接続図である。図５は，監視装置の実施形態を示す３面図であり，（ａ）は正面図，（ｂ）は側面図，（ｃ）下面図である。図６は，監視装置の内部構成を示す概略図であり，図７は，信号品質監視モニタを示す要部拡大図である。図８（ａ）は監視装置，（ｂ）は保守端末装置のの内部構成を示すブロック図である。図９は監視装置から送信される電子メールの仕様の実施形態であり，（ａ）は異常発生時の電子メールの仕様例，（ｂ）は定期監視時の電子メールの仕様例，（ｃ）は通信テスト時の電子メールの仕様例である。
【実施例１】
【００１９】
以下に本発明の実施形態を図面と共に説明する。図１は，本実施形態の遠隔監視システムの概略構成を表すブロック図である。なお，本実施形態の遠隔監視システムは，車などの移動体の中でデジタル放送による高品質なサービスの利用を可能とする衛星デジタル音声放送において，衛星からの電波（Ｓバンド：２．６ＧＨｚ帯）を直接受信して，衛星からの電波が直接届かない場所に向けて再送信するギャップフィラーや，地上デジタル放送において，地元放送局等からの電波（ＵＨＦ帯：４７０から７７０ＭＨｚ）を受信点において直接受信して，放送局からの電波が直接届かない場所に向けて再送信するギャップフィラーの動作状態等を監視するためのものモノである。そのため，衛星や放送局に対して見通しがよく，更には，衛星や放送局からの電波を受信できないエリアを見渡すことのできる場所に設置する必要があり，その多くは，鉄塔やビルの屋上や，山の上など，人が簡単に近寄ることのできない場所に設置されている。
【００２０】
図示の如く，本実施形態の遠隔監視システムは，監視対象であるギャップフィラーＧｉ（ｉ＝１，２，…）毎に設けられ，ギャップフィラーＧｉの状態の検出やギャップフィラーＧｉの制御を行なうための監視装置Ｋｉ，及び，監視対象である受信点Ｒの状態の検出や受信点Ｒの制御を行なうための監視装置ＫＲと，各監視装置Ｋｉ，ＫＲと通信網（例えば公衆回線，専用線，インターネットなど）Ｎを介して接続され，各監視装置Ｋｉ，ＫＲにて検出された監視情報を収集し，全ての監視装置Ｋｉ，ＫＲを集中管理する中央管理センターＣと，ギャップフィラーＧｉ及び受信点Ｒの保守作業を行なう保守担当者のそれぞれが所持する管理装置としての携帯用の保守端末装置（ここでは携帯電話）Ｔｊ（ｊ＝１，２，…）とからなる。なお，以下では，監視装置Ｋｉ，ＫＲを監視サーバ，中央管理センターＣ及び保守端末装置Ｔｊを監視クライアントとも呼ぶ。
【００２１】
ここで，図２及び図３を用いて，本発明に係る遠隔監視システムをさらに詳しく説明する。図２は，本発明に係る地上デジタル放送における遠隔監視システムを更に具体的に示したものである。この図において受信点Ｒは，地元放送局からの地上デジタル放送の電波を受信するための受信アンテナ３０Ｒと，この受信アンテナ３０Ｒで受信した地上デジタル放送信号を，それぞれチャンネルごとに適宜に増幅，レベル調整等を施し，混合し，さらにこの信号処理がなされた高周波信号を光信号に変調することで，例えば光波長１５５０ｎｍの光信号として出力するように構成された光送信機内蔵型のヘッドアンプ３１Ｒと，該ヘッドアンプ３１Ｒの状態の検出や制御を行なうための監視サーバである監視装置ＫＲとからなる。
前記ヘッドアンプ３０から出力された光信号は，光ファイバケーブルＦを介して，それぞれ再送信点としての好適な場所に設置されたギャップフィラーＧｉに伝送される。
【００２２】
光ファイバケーブルＦによってギャップフィラーＧｉに伝送されてきた光信号は，該光信号を地上デジタル放送信号である高周波信号に復調すると共に，該地上デジタル放送信号を所定のレベルで出力できるように増幅やレベル調整を行なうことができるように構成された光受信機内蔵型の送信機３１Ｇに入力される。そして，該送信機３１Ｇから出力された地上デジタル放送信号は送信用アンテナ３０Ｇに入力され，この送信用アンテナ３０Ｇから，所定のサービスエリアに向けて地上デジタル放送の信号が再送信される。監視装置Ｋｉは，前記送信機３１Ｇの状態の検出や制御を行なうための監視サーバである。故に，前記送信用アンテナ３０Ｇと，送信機３１Ｇと，監視装置ＫｉとでギャップフィラーＧｉは構成されている。尚，図２にはギャップフィラーＧｉが２基設置されたシステムが示されている。そして，図２においてＮＴで示されるのは通信網Ｎにおける携帯電話基地局を示していおり，監視装置Ｋｉ，ＫＲで検出したデータは携帯電話回路網を介して監視クライアントである管理装置としての携帯用の保守端末装置Ｔｊや図には示されていない中央管理センター等に送られるように構成されている。
【００２３】
図３は，本発明に係る地上デジタル放送における遠隔監視システムの異なる実施形態を具体的に示したものである。このシステムと図２に示されるシステムの違いは，監視センターＣが有ることであり，監視センターＣにおいてシステムの監視ができるばかりでなく，監視センターＣから，監視装置ＫｉやＫＲ等に対して制御が行なえるようになっている点である。この実施形態では，通信網Ｎに接続されたルータＮ１０と，監視センターＣとの間を，専用線Ｎ１１（例えば，電話会社のサービスを使っ専用線）で結んでいる。監視センターＣに引込まれた専用線Ｎ１１には，管理者側のルータＣ１を介してパソコンＣ２が接続されている。つまり，このシステムでは，ネットワーク経由（無線パケット通信網）で監視や制御をするためのプロトコルであるＳＮＭＰ（Ｓｉｍｐｌｅ  Ｎｅｔｗｏｒｋ
Ｍａｎａｇｅｍｅｎｔ  Ｐｒｏｔｏｃｏｌ）を使うものであり，携帯端末Ｔ１やパソコン２で電子メールを監視ばかりでなく，ＳＮＭＰマネージャー，つまりパソコンＣ２側等から監視装置Ｋｉ，ＫＲにアクセスすることができるので，任意のタイミングで機器の作動状態を取得したり，送信機３１Ｇの出力のＯＮ／ＯＦＦなどの制御をしたりすることが可能になる。さらに，ＳＮＭＰではＴｒａｐ送信機能が定義されているので，機器の異常が発生した場合は，ＳＮＭＰマネージャーであるパソコンＣ２宛に，監視装置ＫＩ，ＫＲから自発的にＳＮＭＰ  Ｔｒａｐ（異常通知）が送信される。
【００２４】
ここで，図４を使って，監視対象と監視装置の接続状態を説明する。図４は，監視対象としての送信機３１Ｇと監視装置Ｋｉの接続状態を示す接続図であり，（ａ）は多機能型の場合，（ｂ）は普及型の場合の接続図である。先ず図４（ａ）に示される多機能型について，図に基づいて説明する。送信機３１Ｇには図に示されるように，少なくともＡＣ入力端子３２，監視端子３３，出力測定端子３４，出力端子３５が備えられている。
ＡＣ入力端子３２には専用のＡＣコード４２ａが接続されており，送信機３１Ｇは商用電源等からＡＣ電源を得て動作している。
監視端子３３は，送信機３１Ｇからの情報データ，即ち，送信機３１Ｇの内部に設けられた，送信機３１Ｇの監視したい項目（例えば，受信レベル，送信レベル，内部温度等）のデータを取得し所定の処理を施すための，図には示されていない信号処理手段によって生成された情報データを出力するための端子であって，多極の監視ケーブル４３でもって監視装置Ｋｉの監視端子５３と接続されており，例えばこの監視端子３３から，２値データが出力される。
出力測定端子３４からは，送信機３１Ｇの出力レベルから所定のレベルだけ低いレベルのＲＦ信号，即ち，地上デジタル放送信号が出力されており，同軸ケーブル（例えば，５０Ω）を介して監視装置Ｋｉの信号入力端子５４に接続され，出力された所定レベルのＲＦ信号は監視装置Ｋｉに入力されている。
出力端子３５からは，送信機３１Ｇによって所定のレベルに設定された地上デジタル放送信号が出力され，同軸ケーブル４５ａを介して，図には示されていない送信アンテナ３０Ｒに給電される。
【００２５】
監視装置Ｋｉには，図に良く示されるように，少なくともＡＣ入力端子５２，監視端子５３，信号入力端子５４，アンテナ端子５５が備えられている。
ＡＣ入力端子５２には専用のＡＣコード４２ｂが接続されており，監視装置Ｋｉは商用電源等からＡＣ電源を得て動作している。
監視端子５３には，前記送信機３１Ｇからの多極ケーブル４３が接続され，送信機３１Ｇで得られた情報データを取り入れる。
信号入力端子５４には，前記送信機３１Ｇからの同軸ケーブル４４が接続され，所定レベルの地上デジタル放送信号が入力される。
アンテナ端子５５には，該監視装置Ｋｉと通信網Ｎとを接続するための通信用送信アンテナが直接若しくは同軸ケーブルを介して接続される。本願の実施形態では，このアンテナは携帯電話の仕様周波数に対応するアンテナである。
【００２６】
次に図４（ｂ）の普及型について，図に基づいて説明する。この実施例と多機能型の違いは，監視装置Ｋｉに，地上デジタル放送信号であるＲＦ信号の監視機能が備えられているかいないかの違いであり，他の構成は上記多機能型と同様であるので説明は省略する。
【００２７】
さらにここで，監視装置Ｋｉについて図５から図７を用いて詳しく説明する。
先ず，図５を用いて監視装置Ｋｉの外観及び機能について説明する。図５は，監視装置の実施形態を示す３面図であり，（ａ）は正面図，（ｂ）は側面図，（ｃ）下面図である。図に示されるように，本発明に係る監視装置Ｋｉをなす筐体１００は，アルミダイカストによって成形された，前面を開口した箱体からなるハウジング１０１と，該開口面を閉塞すると共に，ハウジング１０１に対して開閉自在となるように，前記開口面の一辺側で蝶着されたアルミダイカストによって形成された蓋体１０２とからなり，蓋体締め付けボルトでもってハウジング１０１と蓋体１０２を固着することによって，筐体１０は水密になるように構成されている。
筐体１００の下面には，上述したようにＡＣ入力端子５２，監視端子５３，信号入力端子５４，アンテナ端子５５が備えられているのに加え，図における５６で示される電源表示灯，５７で示される監視表示灯，５８で示される信号表示灯，５９で示される通信表示灯等が設けられている。これらの表示灯に所定の表示をさせることで監視装置の動作状態を筐体１００外部からモニタすることができる。以下に表示灯の表示例を示す。
電源表示灯５６の表示例として，電源が「ＯＮ」のとき点灯（例えば，緑色），電源が「ＯＦＦ」のとき消灯とする。
監視表示灯５７の表示例として，情報データ（例えば２値データ）が正常であれば，例えば緑点灯，異常であれば赤点灯，監視中止中であれば緑点滅とする。
信号表示灯５８の表示例として，信号監視が正常であれば，例えば緑点灯，異常であれば赤点灯，監視中止中であれば緑点滅とする。
通信表示灯５９の表示例として，通信中であれば，例えば緑点灯，非通信時のときは消灯，通信不可（例えば，圏外）であれば赤点灯にしたり，通信不可の状態によって例えば点滅スピードを変えて，複数の状態表示を行なうようにしたり，と言ったように簡単に判断できる表示方法に決めればよい。
尚，前記通信表示灯５９が，監視装置Ｋｉの，前記通信網を介しての管理装置としての保守端末装置Ｔｊとの接続及び通信状態を表示するための表示手段である。
【００２８】
次に図６及び図７を用いて，ハウジング内部における監視装置Ｋｉの内部構成について説明する。図６は，監視装置の内部構成を示す概略図であり，図７は信号品質監視モニタを示す要部拡大図である。図には示されていない監視装置本体ｋｉは，例えばアルミニウム等で形成されたユニットケースに収納されており，このユニットケースはハウジング１０１に収納固着されている。このユニットケースのハウジング１０１の開口側から見える側には表示板１０３としての機能が備えられている。この表示板１０３は，監視装置本体ｋｉを収納するケースであると共に，監視装置本体ｋｉに付随する機能の一部を設けたり，監視装置本体ｋｉと外部機器（例えば，初期設定用のパソコン）とを接続するためのコネクタ用の窓孔を設けたり，機能や型式等の説明書きを表示したりするためのものである。尚，表示板として，アルミニウム等でユニットケースとは別体で備えさせても良い。
本発明の実施例では，６０で示される信号品質監視モニタ用の表示部や，監視装置本体ｋｉのリセットや，情報データのリセット等のためのリセットスイッチ７１，試験メールを送信するためのマニュアル送信設定手段としての実行スイッチ７２，監視を「行なう」か「行なわない」，つまり本発明の実施例では，全てのＳＮＭＰ  Ｔｒａｐや電子メールの送信を「行なう」か「行なわない」かを選択するための第２接続設定手段としての監視ＯＮ／ＯＦＦスイッチ７３等が設けられており，その操作や確認がハウジング１０１の開口側から容易にできる構成となっている。また，監視装置本体ｋｉに装着されたパケット通信モジュール用のカードコネクタ６７に対して，監視装置本体ｋｉで得られた監視情報を，通信網Ｎを介して携帯端末Ｔｉ等とパケット通信を行なうためのパケット通信モジュールを装着するための窓孔７７や，監視装置本体ｋｉに装着されたＲＳ−２３２Ｃ用のコネクタ６８に対して，外部機器（例えば，パソコン）を使って，各種初期設定や情報データ等を取得するためのケーブルを接続するための窓孔７８等が形成されている。
【００２９】
ここで信号品質監視モニタ６０について図７を用いて詳しく説明する。このモニタ６０は，図４（ａ）で説明した多機能型の監視装置Ｋｉに備えられたものであり，例えば送信機３１Ｇ等の監視対象から出力されたＲＦ信号，即ち，地上デジタル放送信号の品質をダイレクトに監視装置Ｋｉにおいて監視し，その結果を表示するためのものである。監視装置Ｋｉには，後に詳述する地上デジタル放送信号の信号処理部１７が備えられており，送信機３１Ｇの出力測定端子３４から同軸ケーブル４４を介して監視装置Ｋｉに引込まれた地上デジタル放送信号は，前記信号処理部１７において，引込まれた地上デジタル放送信号から有効なＯＦＤＭ信号をスキャンすることで抽出し，実在する有効な信号に対して，信号レベルやデジタル変調の品質を表わす値であるＭＥＲ（Ｍｏｄｕｌａｔｉｏｎ  Ｅｒｒｏｒ  Ｒａｔｉｏ）等を周期的に測定する。信号品質監視モニタ６０は，このように測定された受信レベル及びＭＥＲの測定値を表示するものである。
その使用方法は，先ず，表示切替ボタン６４によって，チャンネル表示灯６１が点灯する（他の表示灯は消灯）まで操作する。「チャンネル」が選択されたなら，次にチャンネル切換スイッチ６５で，測定したいチャンネルを選択する。このとき，表示部６６には選択したチャンネルが表示される。このようにして測定したいチャンネルが選択されたなら，さらに表示切替ボタン６４によって，レベル（ｄＢｍ）表示灯６２が点灯するまで操作する。これによって，表示部６６には信号レベルが表示される。同様にＭＥＲの値を表示させ体ならば，表示切替ボタン６４によって，ＭＥＲ（ｄＢ）表示灯６３が点灯するまで操作する。これによって，表示部６６にはＭＥＲが表示される。
この信号処理部１７で得られた情報データは，ＳＮＭＰ  ＭＩＢ（Ｍａｎａｇｅｍｅｎｔ  Ｉｎｆｏｒｍａｔｉｏｎ  Ｂａｓｅ）に反映して，情報データが閾値を超えたらＳＮＭＰ  Ｔｒａｐと電子メールで通知し監視することができるし，また，後述するように，Ｗｅｂサーバの機能を利用する場合であれば，Ｗｅｂページを使って監視や制御ができる。
このように，本発明にかかる監視装置Ｋｉは，デジタル放送信号の信号品質を，ＳＮＭＰ経由やＷｅｂで監視することもできるし，監視装置Ｋｉ本体においても確認することができるように構成されている。
【００３０】
次に，監視装置ＫＲについて説明する。この監視装置ＫＲは受信点Ｒに設置されたヘッドアンプ３１Ｒを監視するものであり，基本的にはこれまでに説明した監視装置Ｋｉと基本的に同じ構成をしており詳細な説明は省略するが，本発明に係るヘッドアンプ３１Ｒにあっては，ヘッドアンプ３１Ｒに備えられた各チャンネルごとのプロセサーユニットに対して，それぞれの入力レベルを監視して，入力信号の過入力（例えば８５ｄＢμ以上）を検知したなら出力を停止したり，入力信号の有無等を検出し放送波が停波していないかなどを監視したりしている。そこで，これらの情報を利用して，監視装置ＫＲ及びＫｉを使って，例えば，ヘッドアンプ３１Ｒに入力されている波数と，送信機３１Ｇから出力される波数若しくは出力レベルを監視し照合することによって，本発明のギャップフィラーシステムにおける伝送系のチェックを行なうことができる。即ち，ヘッドアンプ３１Ｒの波数情報と送信機３１における波数情報が異なる場合は，何れかの放送波が停波したか，ヘッドアンプ３１Ｒを構成するプロセサーユニットの何れかが故障したことが考えられるのであるが，ヘッドアンプ３１Ｒの監視装置ＫＲにおけるデータから，チャンネルの一部が停波していたならそのためであり，全てのチャンネルの放送波があると確認できたなら，プロセサーユニットの何れかが故障であることが容易に分かる。
【００３１】
ここで，図８を用いて監視装置Ｋｉの内部構成を説明する。図８は（ａ）は監視装置Ｋｉの内部構成，図２（ｂ）は保守端末装置Ｔｊの内部構成を表すブロック図である。図８（ａ）に示すように，監視サーバである監視装置Ｋｉは，ギャップフィラーＧｉに対するデータの入出力を行なうためのＩ／Ｏポート群やＲＦ同軸コネクタからなる監視インタフェース（ＩＦ）部２と，ＴＣＰ／ＩＰプロトコルに従って通信網Ｎを介したデータの送受信を行なうネットワークインタフェース（ＮＩＦ）部４と，監視クライアント（中央管理センターＣや保守端末装置Ｔｊ）へのギャップフィラーＧｉに関する情報の提供や，監視クライアントからの要求に基づくギャップフィラーＧｉの遠隔制御を行なうための処理を実行するデータ処理部６とを備えている。
【００３２】
このうち，データ処理部６は，ギャップフィラーＧｉの状態を表す監視情報（例えば，受信点Ｒにおける地上デジタル放送の電波の受信レベル，再送信する電波の送信レベル，筐体内の温度など，監視対象の内部で信号処理された情報データである２値データ，及び，データ処理部６に備えられた上記信号処理部１７において信号処理された，信号レベル及びＭＥＲの情報データ）を，監視ＩＦ部２を介して定期的に収集すると共に，収集した監視情報を順次蓄積する履歴情報蓄積を行なう状態検出手段としてのデータ収集部１０と，データ収集部１０が収集した監視情報に基づいて異常事態（例えば，送受信レベル異常，温度異常など）の発生の有無を判定し，異常があれば，その旨を伝えるための電子メール（以下「状態通知」という）を作成する状態通知手段としてのメール作成部１２と，メール作成部１２が作成した状態通知を，ＮＩＦ部４を介して配信するメールサーバ１３とを備えている。尚，ＮＩＦ部４は通信網Ｎである公衆回線，専用線，インターネット等と接続するためのインタフェースであるが，本願の実施例の一つとして，例えば，携帯電話用のパケット通信モジュールがある。そして，このＮＩＦ部４が通信網接続手段である。
尚，前記通信網接続手段は，前記監視ＯＮ／ＯＦＦスイッチ７３で示される第２接続設定手段によって，通信網Ｎと接続したり遮断したりするように構成されている。
【００３３】
ここで，前記通信網接続手段と前記第２接続設定手段と前記表示手段との関係について説明する。本発明の実施例においては，前記通信網接続手段は携帯電話用のパケット通信モジュール４である。
前記第２接続設定手段である監視ＯＮ／ＯＦＦスイッチ７３を「ＯＦＦ」，即ち監視を「行なわない」状態にしたときは，表示手段としての通信表示灯５９は，前記パケット通信モジュール４からの制御信号に基づいて，通信不可（例えば，圏外）であれば赤点灯にしたり，通信不可の状態に応じて，例えば点滅スピードを変えて複数の状態表示を行なうようにしたりするように構成されている。これによれば，監視装置Ｋｉ，ＫＲの設置工事時などには，監視ＯＮ／ＯＦＦスイッチ７３を「ＯＦＦ」にしておくことによって，工事人は通信表示灯５９を見ながら，監視装置Ｋｉ，ＫＲを通信状況の良い最適な位置に設置することができるのである。加えて，後に詳述するように，監視ＯＮ／ＯＦＦスイッチ７３が「ＯＦＦ」であれば，設置工事や点検時に発生する異状によって，不要なＳＮＭＰ  Ｔｒａｐや電子メールを頻繁に送信してしまうことが無いことは言うまでも無い。このようにして設置が完了したなら，前記監視ＯＮ／ＯＦＦスイッチ７３を「ＯＮ」，即ち監視を「行なう」状態にしたときは，前記通信表示灯５９は，前記パケット通信モジュール４が通信中（電子メール等の送信中）であれば，例えば緑点灯となるようにし，非通信時のときは消灯とするように構成しておくことによって，極めて利便性の良い使い勝手となる。しかも，１つの通信表示灯５９で様々な状態表示ができるので，コストも安価にできる。
【００３４】
また，データ処理部６は，外部からの指令に従い，監視ＩＦ部２を介してギャップフィラーＧｉの動作を制御する操作手段としての監視対象制御部１５と，ＮＩＦ部４を介した監視クライアント（中央管理センターＣや保守端末装置Ｔｊ）からのデータ送信要求に応じて，データ収集部１０から取り出したデータを，Ｗｅｂブラウザにて閲覧可能なＨＴＭＬ形式に変換して，ＮＩＦ部４を介して要求元の監視クライアントに提供したり，ＮＩＦ部４を介した監視クライアントからの制御要求に応じて，監視対象制御部１５に対する指令を出力する保守機能提供手段としてのＷｅｂサーバ１６とを備えている。
尚，以下の説明では，監視クライアントによる監視ばかりでなく，監視クライアントからの制御要求に応じて，ギャップフィラーＧｉの動作を制御することができるシステムについて説明しているが，この機能は無くても良い（説明を簡単にするためにこの機能の無いシステムの説明は省略する）。
【００３５】
なお，データ処理部６はＣＰＵ，ＲＯＭ，ＲＡＭを中心に構成されたコンピュータからなり，データ収集部１０，メール作成部１２，メールサーバ１３，監視対象制御部１５，Ｗｅｂサーバ１６，信号処理部１７は，ＣＰＵが実行する処理として実現され，また，アドレス記憶部１１は不揮発性メモリ（例えばＥＥＰＲＯＭ）上に，データベース１４はＲＡＭ或いは外部記憶装置上に構成されている。
【００３６】
そして，アドレス記憶部１１には，少なくとも中央管理センターＣのアドレスと，ギャップフィラーＧｉの保守を担当する保守担当員に割り当てられたアドレスとが記憶されており，メール作成部１２はその両方若しくは何れか指定したアドレスに対して状態通知を送信すると共に，状態通知の送信後，予め設定された制限時間（例えば１５分）を経過しても，Ｗｅｂサーバ１６が提供するＷｅｂページへのアクセスが行われていない時には，状態通知の再送信を行なうようにしても良い。
【００３７】
また，メール作成部１２が作成する状態通知には，監視対象となったギャップフィラーＧｉに関する情報（設置位置，使用機種など），検出された異常の種類，異常と判定された監視情報として，異常発生時の緊急通知である異常状態通知，及び，監視対象となったギャップフィラーＧｉに関する現況情報を，定期的に若しくは予め設定された条件に基づいて通知する監視情報としての作動状態通知があり，こららに加えて，Ｗｅｂサーバ１６が提供するＷｅｂページのＵＲＬ（Ｕｎｉｆｏｒｍ  Ｒｅｓｏｕｒｃｅ  Ｌｏｃａｔｏｒ）が含まれるようにしても良い。但し，ＵＲＬはハイパーリンクである。また，Ｗｅｂサーバ１６が提供するＷｅｂページは，監視クライアントからの要求に従って，保守作業に必要な詳細な情報や，監視対象制御部１５を介したギャップフィラーＧｉの制御機能等を提供するように作成されている。
【００３８】
本発明に係る監視装置Ｋｉでは，監視情報として，ギャップフィラーＧｉに異常が発生したときに異常状態通知を通知するのに加え，さらに作動状態通知を通知するのは，例えばギャップフィラーＧｉが正常，異常に拘らず，通信異常等が発生して，通信ができない状態にないか，つまり監視装置自身の作動状態（通信状態）を確認することができ便利であるからである。この作動状態通知を「行なう」場合のタイミング・周期等の条件設定は，前記監視装置Ｋｉの各種初期設定を行なう際に，監視装置本体ｋｉに備えられた，ＲＳ−２３２Ｃ用の前記コネクタ６８から，外部機器（例えば，パソコン）を使って予め行なっておけばよい。つまり，保守担当者の事情等によって監視通知の送信条件を自在に設定でき，仕事にあまり邪魔にならないように設定することができ利便性が良い。尚，このコネクタ６８と外部機器が，作動状態通知の送信条件を設定するための送信条件設定手段である。しかしながら，作動状態通知の通知を特に必要ない場合は，送信しないようにしても良く，この場合も，前記コネクタ６８から，外部機器（例えば，パソコン）を使って。予め行なっておけばよい。尚，この場合，このコネクタ６８と外部機器が，作動状態通知の「行なわない」を設定する，つまり定期監視を行なわないようにするための第１接続設定手段となる。尚，監視装置ＫＲも同様であるので詳細な説明は省略する（以下同様）。
【００３９】
さらに本発明の監視装置Ｋｉにおいては，メール作成部１２において，前記監視対象の異常の有無に拘らず，前記監視対象の現況状態を表す監視情報としての現在状態通知を，予め設定された中央管理センターＣのアドレスや保守担当者のアドレスを宛先として，前記通信網を経由する電子メールを使って，任意のタイミングでマニュアル送信できるように構成されている。
このマニュアル送信は，既に説明したように，図６における７２で示される試験メールを送信するためのマニュアル送信設定手段としての実行スイッチによって行なうことができる。即ち，このマニュアル送信設定手段が無ければ，設置工事等において通信状態の確認を行なおうとすると，監視装置本体ｋｉに備えられた，ＲＳ−２３２Ｃ用の前記コネクタ６８に対して，外部機器（例えば，パソコン）を接続して行なう必要があり，ギャップフィラーＧｉの設置場所等から考えても，その作業は大変困難を極めるものになってしまうからである。本発明では，特別な機器を持たなくとも，スイッチ７２操作一つで，試験メールが送信でき，通信網Ｎとの接続確認が容易にできる。
【００４０】
さらに，さらに本発明の監視装置Ｋｉにおいては，既に説明したように，全てのＳＮＭＰ  Ｔｒａｐや電子メールの送信を「行なう」か「行なわない」かを選択するための第２接続設定手段としての監視ＯＮ／ＯＦＦスイッチ７３等が設けられており，メール作成部１２において，前記監視対象の異常の有無に拘らず，全ての監視をＯＦＦにすることができるように構成されている。つまり，この第２接続設定手段が無ければ，例えば設置工事や点検時に発生する異常に反応して，ＳＮＭＰ  Ｔｒａｐや電子メールが頻繁に送信され，機器の故障でもないのに，データベースに故障の履歴が残ってしまうことがあるが，第２接続設定手段を備えたことによって，設置工事や点検時には監視ＯＮ／ＯＦＦスイッチ７３をＯＦＦにすることによって，監視装置が異常を検出しても余分なＳＮＭＰ  Ｔｒａｐや電子メールを送信しないようになる。さらに，監視ＯＮ／ＯＦＦスイッチ７３をＯＦＦにしたときに，データベースに有る履歴をクリアするように構成しておけば，設置工事や点検時にデータベースに蓄積して送られなかった異常データはクリアされる。
【００４１】
図９に前記メール作成部１２で作成される電子メールの表示内容の使用例を示す。この図において（ａ）は異状発生時のメール通知仕様の１実施例であり，（ｂ）は定期監視時のメール通知仕様の１実施例であり，（ｃ）は通信テスト時のメール通知仕様の１実施例である。
【００４２】
一方，保守端末装置Ｔｊは，図２（ｂ）に示すように，各種表示を行なうための表示画面や各種指令を入力するためのキー，警報等を発生させるブザー等からなるヒューマンインタフェース（ＨＩＦ）部２０と，通信網Ｎを介したデータの送受信を制御するＮＩＦ部２２と，メールクライアント機能を有しＮＩＦ部２２を介してメールの受信を行なうメール受信部２６，及びＷｅｂページを閲覧するためのＷｅｂブラウザ２８からなるデータ処理部２４とを備えている。
【００４３】
なお，データ処理部２４はＣＰＵ，ＲＯＭ，ＲＡＭを中心に構成されたコンピュータからなり，メール受信部２６，及びＷｅｂブラウザ２８は，いずれもＣＰＵが実行する処理として実現されるように構成されている。また，メール受信部２６は，メールを受信するとＨＩＦ部２０に警報（着信音）を発生させる報知手段としての機能を備えている。
【００４４】
更に，Ｗｅｂブラウザ２８は，情報の表示にグラフィック，入力操作にポインティングデバイスを用いるグラフィカルユーザインタフェース（ＧＵＩ）を提供するものであり，保守端末装置Ｔｊの表示画面上に，監視装置Ｋｉが提供するＷｅｂページが表示されている場合，そのＷｅｂページ上のアイコンを操作するだけで，監視装置Ｋｉに対するデータ送信要求や制御要求が送信されるようになっている。
【００４５】
以上のように構成された遠隔監視システムにおいては，監視装置Ｋｉは，ギャップフィラーＧｉの状態を表す監視情報を定期的に収集し，その収集した監視情報に基づいて監視情報の履歴を表すデータベースを作成する。これと共に，監視情報に基づいて異常の有無を判定し，異常がある場合には，中央管理センターＣ及び予め決められた保守担当者宛に電子メール（状態通知）を送信する。
【００４６】
この電子メール（状態通知）を受信した保守端末装置Ｔｊは，警報を発生させることにより，当該装置Ｔｊを所持する保守担当者にメールの受信を知らせる。その後，保守担当者の操作によって，電子メールを受信した保守端末装置Ｔｊの表示画面上に状態通知の内容が表示され，その表示項目の一つであるＷｅｂページのＵＲＬがクリックされると，保守端末装置Ｔｊは，監視装置Ｋｉへのアクセスを実行する。その結果，保守端末装置Ｔｊの表示画面には，ギャップフィラーＧｉの保守作業用Ｗｅｂページが表示されることになる。
【００４７】
そして，上述したように，ＷｅｂページはＧＵＩを利用して作成されているため，以下，画面上のアイコンボタンを操作するだけで，例えば，特定の監視情報についての履歴情報を閲覧したり，ギャップフィラーＧｉを遠隔制御（送受信レベルの調整など）することが可能となる。
【００４８】
なお，監視装置Ｋｉでは，電子メール（状態通知）の送信後，制限時間を経過しても送信先の保守担当者からＷｅｂページへのアクセスがない時には，保守担当者宛に電子メールの再送信を行い，その旨を中央管理センターＣにも電子メールにて通知する。
【００４９】
以上説明したように，本実施形態の遠隔監視システムにおいては，ギャップフィラーＧｉの異常を検出した監視装置Ｋｉは，中央管理センターＣだけでなく，当該ギャップフィラーＧｉの保守を担当する保守担当者宛にも直接電子メール（状態通知）を送信するようにされている。
【００５０】
従って，本実施形態の遠隔監視システムによれば，保守担当者宛の状態通知が，中央管理センターＣを経由することなく速やかに届けられるため，ギャップフィラーＧｉの異常に対して迅速に対応することができるだけでなく，何らかの原因で中央管理センターＣの機能がダウンしていたとしても，ギャップフィラーＧｉの異常を保守担当者に確実に知らせることができ，システムの信頼性を向上させることができる。
【００５１】
また，本実施形態の遠隔監視システムでは，監視装置Ｋｉが状態通知を送信したにも関わらず保守担当者からのＷｅｂページへのアクセスがない場合には，その旨を中央管理センターＣに通知するようにされているので，仮に保守担当者が何らかの原因で状態通知の受信を知ることができない状態にあったとしても，中央管理センターＣを介して対策を取ることができ，システムの信頼性を更に向上させることができる。
【００５２】
また，本実施形態において保守端末装置Ｔｊは，メールクライアント機能とＷｅｂブラウザ機能とを備えていればよく，これらの機能を有した携帯電話等を保守端末装置Ｔｊとして使用でき，あらためて専用のハードウェアや専用のソフトウェアを作成する必要がないため，簡単かつ安価にシステムを構築することができる。しかも，情報の表示をＧＵＩを利用したＷｅｂページにて行っており，保守担当者はコマンド入力等の煩雑な操作や特別な使用方法をマスターする必要もなく，簡単に操作できるため，保守端末装置Ｔｊを用いた保守作業の作業効率を向上させることができる。
【００５３】
更に，本実施形態の遠隔監視システムでは，保守端末装置Ｔｊを介して，まず状態通知を受信した時に，ギャップフィラーＧｉの現状についての監視情報を得ることができ，その後，Ｗｅｂページを閲覧することで，監視情報の履歴など，異常の原因を特定する際などに必要な詳細な情報を得ることができるように構成されている。従って，保守担当者は，発生した異常に対して的確な対応を施すことができる。例えば，筐体内の温度異常が発生した場合に，筐体内の温度変化の履歴を参照することにより，日射等の外的要因によるものか，経年変化等に基づく構成部品の発熱によるものかを判断することが可能となる。
【００５４】
以上本発明の一実施形態について説明したが，本発明は上記実施形態に限定されるものではなく，本発明の要旨を逸脱しない範囲において，様々な態様にて実施することが可能である。例えば，上記実施形態では，Ｗｅｂサーバ１６はＨＴＭＬ形式に変換されたデータを提供するようにされているが，ＸＭＬ（Ｅｘｔｅｎｓｉｂｌｅ  Ｍａｒｋｕｐ  Ｌａｎｇｕａｇｅ）形式に変換されたデータを提供するようにしてもよい。但し，Ｗｅｂページを閲覧する監視クライアント側には，ＸＭＬ形式のデータを，スタイルシートを用いてＨＴＭＬ形式に変換する機能を追加する必要がある。
【００５５】
この場合，保守担当者が所持している保守端末装置Ｔｊに合わせたスタイルシートを用意することで，画面サイズに合った見やすい表示や，同じデータであっても目的（例えば保守端末装置Ｔｊ，中央管理センターＣのいずれで使用するか等）に応じた異なる表示を行なうことが可能となる。
【００５６】
また，上記実施形態では，Ｗｅｂサーバの機能を用いて，監視情報の供給や監視対象の制御を行っているが，例えば，図３に示すようにＳＮＭＰ（Ｓｉｍｐｌｅ  Ｎｅｔｗｏｒｋ  Ｍａｎａｇｅｍｅｎｔ  Ｐｒｏｔｏｃｏｌ）を用い，監視装置ＫｉをＳＮＭＰエージェント，中央管理センターＣや保守端末装置ＴｊをＳＮＭＰマネージャ，監視装置Ｋｉに設けられたデータベースを管理情報ベース（ＭＩＢ）として構成することにより，監視装置Ｋｉの監視・制御を行ってもよい。
【００５７】
この場合，ＳＮＭＰマネージャがＭＩＢ値を変化させると，監視対象制御部１５が，その変化させたＭＩＢ値に対応する制御を実行するようにすればよい。また，異常が検出された時の通知は，ＳＮＭＰエージェントが自発的に送信を行なうことができるＴＲＡＰ機能を，電子メールの代わりに用いてもよい。
【００５８】
また，比較的安価にシステムを構築したい場合などは，図２に示されるように，状態通知を管理装置である保守端末装置Ｔｊとしての携帯電話に送信するだけのシステムであっても良い。
【図面の簡単な説明】
【００５９】
【図１】本実施形態の遠隔監視システムの概略構成を表すブロック図である。
【図２】本発明に係る遠隔監視システムを更に具体的に示したもので有る。
【図３】異なる実施形態の遠隔監視システムの具体例である。
【図４】監視対象と監視装置の接続状態を示す接続図であり，（ａ）は多機能型の場合，（ｂ）は普及型の場合の接続図である。
【図５】監視装置の実施形態を示す３面図であり，（ａ）は正面図，（ｂ）は側面図，（ｃ）下面図である。
【図６】監視装置の内部構成を示す概略図である。
【図７】信号品質監視モニタを示す要部拡大図である。
【図８】（ａ）は監視装置，（ｂ）は保守端末装置のの内部構成を示すブロック図である。
【図９】監視装置から送信される電子メールの仕様の実施形態であり，（ａ）は異常発生時の電子メールの仕様例，（ｂ）は定期監視時の電子メールの仕様例，（ｃ）は通信テスト時の電子メールの仕様例である。
【符号の説明】
【００６０】
２・・・監視インタフェース（監視ＩＦ）部，４・・・ネットワークインタフェース（ＮＩＦ）部，６・・・データ処理部，１０・・・データ収集部，１１・・・アドレス記憶部，１２・・・メール作成部，１３・・・メールサーバ，１５・・・監視対象制御部，１６・・・Ｗｅｂサーバ，２０・・・ヒューマンインタフェース（ＨＩＦ）部，２２・・・ネットワークインタフェース（ＮＩＦ）部，２４・・・データ処理部，２６・・・メール受信部，２８・・・Ｗｅｂブラウザ，３０Ｇ・・・送信アンテナ，３０Ｒ・・・受信アンテナ，３１Ｇ・・・送信機，３１Ｒ・・・ヘッドアンプ，３２・・・ＡＣ入力端子，３３・・・監視端子，３４・・・出力測定端子，３５・・・出力端子，４２ａ４２ｂ・・・電源ケーブル，４３・・・多極ケーブル，４４・・・同軸ケーブル，４５ａ・４５ｂ・・・同軸ケーブル，５２・・・ＡＣ入力端子，５３・・・監視端子，５４・・・信号入力端子，５５・・・アンテナ端子，５６・・・電源表示灯，５７・・・監視表示灯，５８・・・信号表示灯，５９・・・通信表示灯，６０・・・信号品質監視モニタ，６１・・・チャンネル表示灯，６２・・・レベル（ｄＢｍ）表示灯，６３・・・ＭＥＲ（ｄＢ）表示灯，６４・・・表示切替ボタン，６５・・・チャンネル切換スイッチ，６６・・・表示部，６７・・・カードコネクタ，６８・・・コネクタ，７１・・・リセットスイッチ，７２・・・実行スイッチ，７３・・・監視ＯＮ／ＯＦＦスイッチ，７４・・・電源部，７７・７８・・・窓孔，１００・・・筐体，１０１・・・ハウジング，１０２・・・蓋体，１０３・・・表示板，Ｃ・・・中央管理センター，Ｃ１・・・加入者側ルータ，Ｃ２・・・ＳＮＭＰマネージャ，Ｆ・・・光ファイバケーブル，Ｇｉ・・・ギャップフィラー，Ｋｉ，ＫＲ・・・監視装置，ｋｉ・・・監視装置本体，Ｎ・・・通信網，ＮＴ・・・携帯電話基地局，Ｎ１０・・・通信網側ルータ，Ｎ１１・・・専用線，Ｔｊ・・・保守端末装置，Ｒ・・・受信点
【図１】
2010004185.tif 000003
【図２】
2010004185.tif 000004
【図３】
2010004185.tif 000005
【図４】
2010004185.tif 000006
【図５】
2010004185.tif 000007
【図６】
2010004185.tif 000008
【図７】
2010004185.tif 000009
【図８】
2010004185.tif 000010
【図９】
2010004185.tif 000011